(57)【特許請求の範囲】
【請求項１】
フロートに一端を固定したロープを水中に設けた滑車に懸架した後、折り返して他端をフロート弁のロッドの一端に連繋し、前記フロートの浮力を助けるウエイトをロッドと滑車間に取付けたことを特徴とする水位検出用フロート装置。
【請求項２】
滑車に懸架した後、折り返したロープをフロートの中心孔を通してからフロート弁のロッドの一端に連繋したことを特徴とする請求項１記載の水位検出用フロート装置。
【請求項３】
滑車に懸架した後、折り返したロープを上方に設けた滑車に懸架してからフロート弁のロッドの一端に連繋したことを特徴とする請求項１または請求項２記載の水位検出用フロート装置。
【請求項４】
フロートに串刺しにして固定したパイプの両端をブラケットの透孔に昇降自在に装着し、前記フロートまたはパイプに一端を固定したロープを水中に設けた滑車に懸架した後、折り返して他端を前記パイプに下から上方へ挿通し、滑車を介しまたは介しないでフロート弁のロッドの一端に連繋し、前記フロートと滑車またはロッド間に前記フロートの浮力を助けるウエイトを取付けたことを特徴とする水位検出用フロート装置。
【請求項５】
フロートとフロート弁のロッド間にロープ長さ調節用ターンバックルを設けたことを特徴とする請求項１ないし請求項４のいずれかの水位検出用フロート装置。
【請求項６】
フロートの基準位置指定用ブラケットを調節自在に設けたことを特徴とする請求項５記載の水位検出用フロート装置。
【発明の詳細な説明】
【０００１】
【発明の属する技術分野】
本発明は水位検出用フロート装置に関するものである。
【０００２】
【従来の技術】
従来のフロート装置は，水洗トイレのフロート装置でよく知られるように、フロート弁のロッドの端部にフロートを直接接続した構造であった。
【０００３】
【非特許文献１】
「世界大百科事典２８」平凡社、１９７２年４月２５日，Ｐ．２２
【０００４】
【発明が解決しようとする課題】
従来のフロート装置は、その構造上フロート弁の開閉のため大きな浮力を必要とする場合はフロートの大きさを大きくしなければならず、そのスペースを確保するため装置が大きくなった。
【０００５】
そこで本発明は、フロートが小さくても、それより大きなフロートと同等の効果が得られるフロート装置を提供することを課題とするものである。
【０００６】
【課題を解決するための手段】
本発明は前記の課題を解決するためになされたもので、請求項１記載の発明は、フロートに一端を固定したロープを水中に設けた滑車に懸架した後、折り返して他端をフロート弁の一端に連繋し、前記フロートの浮力を助けるウエイトをロッドと滑車間に取付けたことを特徴とする水位検出用フロート装置である。
【０００７】
また、請求項２記載の発明は、請求項１記載の発明において、滑車に懸架した後、折り返したロープをフロートの中心孔を通してからロッドの一端に連繋するようにしたことを特徴とする水位検出用フロート装置である。
【０００８】
また、請求項３記載の発明は、請求項１または請求項２記載の発明において滑車に懸架した後、折り返したロープを上方に設けた滑車に懸架してからフロート弁のロッドの一端に連繋したことを特徴とする水位検出用フロート装置である。
【０００９】
また、請求項４記載の発明は、フロートに串刺しにして固定したパイプの両端をブラケットの透孔に昇降自在に装着し、前記フロートまたはパイプに一端を固定したロープを水中に設けた滑車に懸架した後、折り返して他端を前記パイプに下から上方へ挿通し滑車を介しまたは介しないでフロート弁のロッドの一端に連繋し、前記フロートと滑車またはロッド間に前記フロートの浮力を助けるウエイトを取付けたことを特徴とする水位検出用フロート装置である。
【００１０】
請求項５記載の発明は、請求項１ないし請求項４のいずれかの発明において，フロートとフロート弁のロッド間にロープの長さ調節用ターンバックルを設けたことを特徴とする発明で、かく構成することによりフロート弁を駆動する基準位置を微調整し得るようにしたものである。
【００１１】
請求項６記載の発明は，前記請求項５の発明の実施に際して，フロートの基準位置の設定を容易にすると共に安定性を与えるため、フロートの基準位置指定用ブラケットを調節自在に設けたものである。
【００１２】
【発明の実施の形態】
図１は本発明の最もシンプルな構成例を示す側面図で、１は中心に縦孔２を設けたフロート、３は水槽あるいは水路の側壁４の水中に設けたブラケット、５はそのブラケット３に取付けた滑車、６はナイロンロープやステンレス鎖などからなるロープ、７はフロート弁（図示せず）のロッド、８はフロート１より浮力（ロッド７の駆動力）を助けるウエイトである。
【００１３】
ロープ６は一端をフロート１に固定し、他端を水中の滑車３に懸架し、ロープ６を折り返した後、フロート１の縦孔２に下から上方へ挿通し、他端をロッド７の端部に固定すると共に、フロート１とロッド７間にウエイト８を設けた構成となっている。
【００１４】
この構成例では水中に設ける滑車を１個とし、ロープ６をフロート１の縦孔２を挿通するようにしたが、ロープ６を懸架する滑車を水中に２個離して設け、ロープ６をフロート１の縦孔に通さずにフロート弁のロッド７に接続するようにしてもよい。
【００１５】
これらの構成のフロート装置は、水位が上昇すると、フロート１の浮力によりロープ６は下方に引張られ、ロッド７を下方に搖動させてフロート弁を作動させることは、従来型のフロート装置と同様であるが、ウエイト８をロッド７より下位に設けてあるので、それがフロート１の浮力によるロッド７の駆動力の助けとなり、フロート弁の動作を鋭敏ならしめ、従来のロッドをフロートに直接取付ける方式の場合は、水位が１０ｃｍ以上変位した時フロート弁が作動するという状況であったが、本発明方式によると水位がミリ単位に変動した場合でも動作するというフロート装置の実現が可能となった。ミリ単位の調整は、ロープの途中に長さ調節用のターンバックルを設けることにより実用化できる。またフロートを小型にすることができるため、フロート装置の設定スペースが小さくて済み、水路の障害にならないものを提供可能となる。
【００１６】
図１に示す実施形態は、ロッド７が下方に動いた時、フロート弁が動作する場合であるが、ロッド７が上方に動いた時、フロート弁が動作するものであるならば、上部に滑車を設け、この滑車にロープ６を懸架してから端部をフロート弁のロッドに接続すればよい。
【００１７】
【実施例】
図２は本発明を起伏式水門の水位検知装置として適用した場合の実施例を示すもので、１はフロート、２はフロート１の中心に設けた縦孔、３は側壁４の水路側に設けたブラケット、５はブラケット３に設けた滑車、６はロープ、８はウエイトである点は、図１に示すものと同じである。
【００１８】
この実施例では、フロート１の縦孔２に串刺しにしたステンレス製パイプ９を取付け金具１０，１０を介してフロート１に取付け、パイプ９の上下を側壁４に設けたブラケット１１、１２の透孔に挿通して昇降自在とし、ロープ６の一端はパイプ９の上部の止金具１３に固定し、他端はパイプ９の中を下方に通し、滑車５に懸架した後、折り返して再びパイプ９の中を下から上方に通し、ウエイト８を介して上方に設けたブラケット１４に取付けた滑車１５、１６に懸架してからターンバックル１７を介してフロート弁のロッド７に接続してある。なお、ブラケット１２はフロート１の基準位置を決めるもので、ブラケット３にボルト・ナットから成る止具１８で調節自在に取付けられている。
【００１９】
この構成によると、水位が所定の位置まで上昇した時、フロート弁のロッド７が引張られてフロート弁が動作することは前述の実施態様の場合と同じであるが、水の流れによりフロート１が振れないので、フロート弁の誤動作を防止する効果がある。
【００２０】
また、ターンバックル１７を操作してロープ６の長さを調節することにより，フロート弁の動作をミリ単位で微調節をすることができる。そして、調節後にブラケット１２（基準位置指定用ブラケット）を調節してフロート１の沈下を防ぐようにすることにより，流れに影響されない正確な設定を行うことができる。
【００２１】
なお、この実施例ではロープ６の端部をパイプ９の上部に固定したが下部に固定してもよい。又、この実施例ではウエイト８とロープ長さ調節用ターンバックル１７とを設けたが、ターンバックル１７を側壁の外側に設けずにウエイト８に代えて設け、ウエイト兼用にしてもよい。
【００２２】
【発明の効果】
以上の説明より明らかなように、ウエイト８の自重が、浮力の補助となるのでフロートを小型化することができ、フロート装置自体の小型化に貢献する効果がある。また、水位の変化に対する感度が向上する効果があり、新しいタイプのフロート装置として優れたものである。
【図面の簡単な説明】
【図１】本発明の実施形態におけるシンプルな構成を示す側面図である。
【図２】本発明の実施例の一部載断側面図である。
【符号の説明】
１                    フロート
２                    縦孔
３，１１，１２，１４      ブラケット
４                    側壁
５，１５，１６            滑車
６                    ロープ
７                    ロッド
８                    ウエイト
９                    パイプ
１０                  取付金具
１３                  止金具
１７                  ターンバックル
１８                  止具
【図１】
0003653671.tif 000002
【図２】
0003653671.tif 000003